(57)【要約】      （修正有）【課題】ねじ込み方向の一方向だけで組付けでき、比較的小さい力で、緩みなく安定的に骨の接合と脱着ができるラグスクリュウを提供する。【解決手段】ラグスクリュウ３の先端おねじ部と同様リードを備えるラグスクリュウ３とマスタースクリュウ２の一体を組としてネイル１に組付けると共に、ラグスクリュウ３が先端に静止安定性の高い二条ねじと、ねじ込みと巻き戻しのための両面刃先および後端面にねじ込み工具のための六角形の凹面溝を備える。さらに回し工具による押し込み時に接合骨への滑らかな初期食付きを提供する、ネイル１とマスタースクリュウ２に二条台形ねじ係合する機構を備え、食付き完了後にラグスクリュウ３とねじ係合する締めナット６のセレーション歯形の噛み込み機構により固く係合し、恒久的に緩まない構造を備える。【選択図】図１−１
2015039621.tif 000002
【特許請求の範囲】
【請求項１】
ネイル軸芯に予め決められる斜めの角度でねじ切りされるめねじ（多条ねじを含む）を有するネイル、ネイルのそのめねじにねじ係合されるおねじを有する外周部とラグスクリュウの喰い込み先端おねじ部を除いてキー（またはスプラインなど）で軸方向に滑り結合する内周部を有するマスタースクリュウ、およびマスタースクリュウにキー結合されて軸方向に移動でき、先端部に骨結合のための喰い込み先端おねじを有するラグスクリュウとの組合せにおいて、ラグスクリュウの突出し量の調整とねじ込みを行う専用組付け治具（この発明においては説明しない）によって組付け位置設定が行われた後で、ラグスクリュウとマスタースクリュウをキー結合させこれらを一体の組としてマスタースクリュウの外周のおねじをネイルのめねじに噛合わせ、ラグスクリュウの右端に設けられる六角穴などの駆動用溝に回し工具を差し込んで回すことによりラグスクリュウとマスタースクリュウの組を接合骨の予め設定される位置までねじ込みできる構造、特にラグスクリュウの喰い込み先端おねじとマスタースクリュウの外周のおねじがネイルにねじ切りされるめねじと同じリードで加工されるねじ送り構造（マスタースクリュウ送り方式）。
【請求項２】
請求項１に記載のネイルのめねじと、ラグスクリュウとマスタースクリュウのキー結合される一体の組のマスタースクリュウのおねじは互いに嵌り合っているので、ラグスクリュウの右端に設けられる六角穴などの駆動用溝に回し工具を差し込み、ねじ込んでも完全にそれぞれの回転とリードが同期するために、それらに大きなリードを有する多条ねじを採用でき、さらにラグスクリュウの喰い込み先端のおねじ部に把持力向上のための特殊歯形と形状を採用できることを特徴とする請求項１に記載のネイルおよびマスタースクリュウとラグスクリュウの組を組付ける組付け構造。
【請求項３】
ラグスクリュウを確実に保持して、かつその軸方向移動を滑らかに行うために高精度に加工されるラグスクリュウの先端おねじ部を除く軸本体の外径部を高精度に加工されるマスタースクリュウの内径部に嵌め合わせて移動させ、マスタースクリュウのおねじをネイルのめねじにねじ込むねじによる締付けでマスタースクリュウとネイルの噛合いが形成されることを特徴とする請求項１に記載のネイルおよびマスタースクリュウとラグスクリュウの組を組付ける組付け構造。
【請求項４】
マスタースクリュウとラグスクリュウの組を予め決められる所定の位置までねじ込んだ後で、マスタースクリュウの後部に軸方向に移動できるようにセレーションなどを有するストッパーリングをねじ係合させ、そこにおいてストッパーリングの前外周端に設けられる角度の付いたセレーション歯形がネイルのめねじ部の歯端部に設けられるセレーション歯形に噛付き、そのためマスタースクリュウのセレーション歯形とストッパーリングセレーション歯形の噛合いにより回転方向の動きが止められ、ストッパーリングの先端のセレーション歯形がネイルのめねじ部の歯端部のセレーション歯形と噛合い、従ってストッパーリングによりマスタースクリュウとネイルのねじの回転が止められ、さらにマスタースクリュウの最後端のおねじに係合される締めナットを回して前進最先端ロック位置まで前進させることによりマスタースクリュウの組とネイルが完全に固定され、さらにストッパーリングと締めナットの互いの当たり面には緩み防止のために小さな放射状の溝が設けられ、さらに何らかの理由で分解する時にストッパーリングを引抜くために締めナットとストッパーリングを嵌め殺し係合させてラグスクリュウの駆動用六角穴に回し工具を差し込んで逆回転させることによりラグスクリュウを引抜くことができることを特徴とする請求項１に記載のネイルおよびマスタースクリュウとラグスクリュウの組を組付ける組付け構造。
【請求項５】
マスタースクリュウとラグスクリュウはマスタースクリュウの後端側内径に設けられる複数個のキー溝とラグスクリュウの後端部外径部に埋め込み備えられる同複数個のキーの噛合いにより結合され、さらにこのキー端面がマスタースクリュウのキー溝加工端面に形状的に合致して動きが規制され、さらにラグスクリュウに埋め込まれる複数個のキーの端部はキー抜け出し防止サークリップにより固定されるので、ラグスクリュウがマスタースクリュウの前進最先端の所定の位置から抜け出ない機構を備えることを特徴とする請求項１に記載のネイルおよびマスタースクリュウとラグスクリュウの組を組付ける組付け構造。
【発明の詳細な説明】
【技術分野】
【０００１】  この発明は、主に大腿骨骨折の骨接合手術に使用するインプラント用のネイルとラグスクリュウの固定構造におけるラグスクリュウの組付け構造および固定機構に関する。
【背景技術】
【０００２】  従来から、ラグスクリュウを構成するストッパー・スクリュウのねじ込みによる押し込み力により、ネイルとラグスクリュウとを固定する固定構造は知られている。当該特許文献に示されるこれらの固定構造においては、従来技術の通常の使い方であるねじの締付け方法や回り止め方法が使われている。
【特許文献１】  米国特許第４６９７５８５号
【特許文献２】  公開特許公報  特開２００７−２３６５６８
【特許文献３】  特許出願  特願２０１２−１２８３７７
【発明の開示】
【発明が解決しようとする課題】
【０００３】  しかしながら、上記の従来の固定構造は、主にネイル端部からの押し付け構造のためまたは締結構造の緩みにより安定性に欠け、ぐらついたり、あるいはラグスクリュウが軸方向に自然に進んだり、抜け出るといった問題がある。【０００４】  この発明は上記事情に鑑みてなされたものであり、ネイルとラグスクリュウが安価に製作でき、しかも容易にマスタースクリュウの軸方向ねじ込みにより短時間でかつ高い安定性を有して固定できるネイルおよびマスタースクリュウとラグスクリュウの組による固定構造と同時に、ラグスクリュウ本体が接合骨に対して恒久的に緩まないロック機構と抜け止め機構を提供することを目的とする。
【課題を解決するための手段】
【０００５】  この発明は、上記課題を解決するため、以下の手段を採用する。
この発明に係るネイルとラグスクリュウの組付け構造はラグスクリュウの二条以上の多条ねじのねじ込み先端の切削刃とその喰い込みねじ部の推進力およびラグスクリュウと組合わせられると共にネイルに対してねじ込み先端ねじと同様リードでねじ係合する円筒形薄肉スリーブ形状のマスタースクリュウを介して、さらにそのマスタースクリュウと組合わせられるラグスクリュウの後端部の六角穴などの駆動穴に回し工具を差し込んで回して前進させることによりネイルとマスタースクリュウが噛合わされ、さらにマスタースクリュウとセレーション結合されるストッパーリングをねじ係合で押し込むことにより回転方向の動きが止められ、さらにその上にストッパーリングに嵌め殺し結合される締めナットをラグスクリュウに係合させるその後端部の六角穴などの駆動穴に回し工具を差し込み、ねじ込むことによってネイルおよびマスタースクリュウとラグスクリュウの組を固定する固定構造であって、マスタースクリュウと噛合うためのめねじ（ここでは台形めねじ）を備えるネイル、先端ねじ部にネイルと同様なリードの二条以上の多条おねじを備える先端部材およびその後端にマスタースクリュウとの滑り噛合いのための複数のキーを備えるラグスクリュウ、さらにストッパーリングとセレーション係合し、締めナットにねじ係合され、さらにネイルとの台形ねじ噛合いのために同様リードの二条以上の多条おねじを備える円筒形薄肉スリーブ形状のマスタースクリュウ、およびマスタースクリュウにセレーション係合されるストッパーリングとそれに嵌め殺し結合され、マスタースクリュウにねじ係合さる締めナットから構成されることを特徴とする。【０００６】  上記のような構成によるネイルおよびマスタースクリュウとラグスクリュウの組を固定する固定構造は、構成要素が少なく単純で、ラグスクリュウが容易に短時間で比較的軽い力で通常の回し工具をマスタースクリュウと滑り結合するラグスクリュウに差し込んで回すことにより、ラグスクリュウがマスタースクリュウを介して同時に一体でガイドされてねじ込まれ、ストッパーリングの斜角先端のおすセレーション歯形がネイルの内径のめすセレーション歯形に噛合った時にロックされるので、ラグスクリュウとマスタースクリュウの回転が停止され、従ってネイルとラグスクリュウがロックされてそれらの間においてぐらつきがなく、恒久的に緩まない高い静止安定性を保持し、さらにその上にラグスクリュウとマスタースクリュウが連結キーをサークリップで保持するためにラグスクリュウが動いて抜け出ることが防止されるので、さらに非常に高い長期安定性を保持することを特徴とする。
【発明の効果】
【０００７】  以上のように、本発明に係るネイルとラグスクリュウとの組付け構造は、ネイルとラグスクリュウとがマスタースクリュウを介して一体的に容易に、短時間に、かつ、高度な安定性を有してねじ込み方向の一方向だけで組付けできて恒久的に緩まなく、かつまたラグスクリュウの抜け止め防止も具備しているので、熟練した技術を必要とせずに骨接合手術を安全に行うことができる利点がある。
【発明を実施するための最良の形態】
【０００８】  この発明に係る一実施形態について、図１−１、図１−２、図２、図３、図４、図５、図６、図７、図８、図９、図１０、図１１、図１２、図１３、図１４を参照して説明する。【０００９】  図１−１はこの実施例に係るマスタースクリュウ２と組合せでネイル１に挿入されるラグスクリュウ３の接合骨への食付き後の状態の組立体の全体図を部分的に断面表示を入れて表示したものであり、図１−２は図１−１のラグスクリュウ３とマスタースクリュウ２の組の組合せ構造の詳細図であり、図２から図６はラグスクリュウ３がマスタースクリュウ２を介してネイル１にねじ込まれ、そして接合骨に食付き固定されるまでの一連の動きを連続的に表したもので、その中で図２はスタート前、図３はスタート時、図４は前進中、図５は前進最先端位置、図６は前進最先端におけるロック状態を表し、さらに図７はこのネイル１の全体図を表し、図８はラグスクリュウ３とキーで滑り結合されるマスタースクリュー２の詳細図を表し、図９はねじ込み先端とその反対側にマスタースクリュウ２とキー結合される複数のキーを備えるラグスクリュウ３の全体図を表し、図１０はマスタースクリュー２の後端でセレーション係合するストッパーリング５の全体図を表し、図１１は後部端に六角形の凹面溝を備え、マスタースクリュウ２とねじ係合される締めナット６の全体図を表し、図１２はストッパーリング５と締めナット６の嵌め殺し組合せの詳細図を表し、図１３はサークリップ４の詳細図を表し、そして図１４はキー７の詳細図を表す。【００１０】  この実施例に係るラグスクリュウ３はラグスクリュウ３の先端の二条ねじと同様リードのメス二条台形ねじを有するネイル１とマスタースクリュウ２のオス二条台形ねじの噛合い、およびラグスクリュウ３の後端にある駆動用六角形の凹面溝３−５に差し込まれる押し込み回し工具（図示せず）の捩じりによる押し込み力により、ネイル１にラグスクリュウ２をマスタースクリュウ２と一体で介して固定する構造のものである。【００１１】  ラグスクリュウ３は、図１−１、図１−２、図９に示されるように、マスタースクリュウ２と台形ねじ係合されるネイル１、二条ねじ３−１、マスタースクリュウ２と回り止め結合のための複数のキー溝３−２、ラグスクリュウ３の先端ねじ部が接合骨から抜け出ることを防止するためにキー７を保持する抜け止め用サークリップ溝３−３、ラグスクリュウ３全長に延びて空けられるガイド穴３−４、回し工具用の六角形の凹面溝３−５、およびその六角形の凹面溝に切られる回し工具溝３−６を含むラグスクリュウ３、およびネイル１と台形ねじ係合し、ラグスクリュウ３とキー滑り結合する薄肉スリーブ形状のマスタースクリュウ２から組合せで構成される。【００１２】  ラグスクリュウ３の先端部材はそのねじ推進部が二条ねじで構成され、ラグスクリュウ３が一回転するとピッチの二倍進む構造で、これにより素早くねじの押し込みが可能となる。さらに、ねじの歯面の形状は図９に見られるように相対する一方側をそれぞれ軸線に対してほぼ垂直にして、これにより押し進む方向と戻る方向の両方に抵抗し、従って、これによってもねじの緩み止めの効果も発揮できる。【００１３】  ラグスクリュウ３の後端部材は先端部材と一体構造で作られ、マスタースクリュウ２とキー結合されるためのキー溝３−２を備え、最後端面には回し工具が差し込まれる、六角形凹面溝３−５およびラグスクリュウとマスタースクリュウの間隔を調節しセットする治具を固定する回し工具溝３−６が備えられる。【００１４】  マスタースクリュウ２はラグスクリュウ３にキー滑り結合されて滑らかに軸方向に動くと共に、ラグスクリュウ３の接合骨への初期の食い込み時には、ネイルの二条台形めねじ１−５に台形ねじ係合で噛み合わされるマスタースクリュウ２の二条台形おねじ２−１を備えてラグスクリュウ３と一緒に一体で回転できる。【００１５】  なお、この発明の技術範囲は上記実施の形態に限定されるものではなく、本発明の趣旨を逸脱しない範囲において種々の変更を加えることが可能である。
【産業上の利用可能性】
【００１６】  この発明によるラグスクリュウの利用により、特殊な専門技術を必要とせずに、ねじ込み方向の一方向だけで短時間に組付けでき、容易に比較的軽い力で、緩みなく安定的に骨の接合および脱着を行うことができる。
【図面の簡単な説明】
【００１７】
【図１−１】この発明の一実施形態に係るネイル１とラグスクリュウ３のラグスクリュウ３が接合骨へ喰い付き、ロックされた状態の組付け構造を説明するためのシステム構成図である。
【図１−２】図１−１のラグスクリュウ３とマスタースクリュウ２の組の組合せ構造を説明する為の詳細図である。
【図１】この発明の一実施形態に係るネイル１とラグスクリュウ３の組付け手順を連続的に説明するための連続図の中で、最初にマスタースクリュウ２とラグスクリュウ３がキー結合される組付け開始前の「スタート前」を示す図である。
【図２】この発明の一実施形態に係るネイル１とラグスクリュウ３の組付け手順を連続的に説明するための連続図の中で、マスタースクリュウ２とラグスクリュウ３がキー結合され、予め決められる相対位置に突出し量調整とねじ込み駆動用の専用組付け治具で設定された後でラグスクリュウ３の後端部の六角穴などの駆動穴に回し工具を差し込んでねじ込む「スタート時」を示す図である。
【図３】この発明の一実施形態に係るネイル１とラグスクリュウ３の組付け手順を連続的に説明するための連続図の中で、ラグスクリュウ３を確実に保持し、かつ軸方向の滑り移動を滑らかに行うためにラグスクリュウ３の外周部とマスタースクリュウ２の内周部を高精度に加工して嵌め合わせ、さらに回り止めを確実にするためにキーまたはスプラインまたはセレーションなどにより滑り結合されている「ラグスクリュウとマスタースクリュウの噛合い」を示す図である。
【図５】この発明の一実施形態に係るネイル１とラグスクリュウ３の組付け手順を連続的に説明するための連続図の中で、ラグスクリュウ３とマスタースクリュウ２の組が予め設定される最先端部に到達した「前進最先端」を示す図である。
【図６】この発明の一実施形態に係るネイル１とラグスクリュウ３の組付け手順を連続的に説明するための連続図の中で、マスタースクリュウ２にセレーション結合され、さらにそれに嵌め殺し結合される締めナット６を回し工具により回転させてストッパーリング５の先端部の斜角噛込み歯形５−３がネイル１の内周部の噛み込み歯形１−７に噛合って回転がロックされる状態の「前進最先端ロック」を示す図である。
【図７】この発明の一実施形態に係る、軸芯に対して予め決められる角度でラグスクリュウ３と同様なリードの多条めねじ１−５とその後方内周端面に回り止めのためのめすの噛み込み歯形１−７を有する円筒形厚肉棒状のネイル１の詳細図を示す。
【図８】この発明の一実施形態に係る、前端部にラグスクリュウ３と同様なリードの多条おねじ２−１、後端部にラグスクリュウ３と結合のためのキーが嵌め込まれるキー溝２−５、ストッパーリング５と噛合いのためのおすセレーション２−２、および締めナット６とねじ係合するためのおねじ２−３を有するマスタースクリュウ２の詳細図を示す。
【図９】この発明の一実施形態に係る、先端部に接合骨への喰い付きのための特殊形状の二条おねじ３−１、後方端に回し工具が差し込まれる駆動用六角穴３−５、ラグスクリュウ３とマスタースクリュウ２の間隔を調整しセットする治具を固定する回し工具溝３−６、およびマスタースクリュウ２との滑り結合のためのキーが埋め込まれるキー溝３−２を有するラグスクリュウ３の詳細図を示す。
【図１０】この発明の一実施形態に係る、マスタースクリュウ２とセレーション滑り結合するためのめす内歯５−１とその先端外周部にネイル１とセレーション噛合いのためのおすの斜角噛み込み歯形５−３、および締めナット６と嵌め殺しされる嵌め殺し用溝５−２を有するストッパーリング５の詳細図を示す。
【図１１】この発明の一実施形態に係る、ストッパーリング５と嵌め殺し結合するためのスリ割り６−２、マスタースクリュウ２とねじ係合するためのねじ込みめねじ６−３、緩み止めのための先端部に放射状に切られる細い多数の放射状溝６−５が備えられる嵌め殺し用突起６−１、および駆動用の六角穴６−４を有する締めナット６の詳細図を示す。
【図１２】この発明の一実施形態に係る、特にストッパーリング５と締めナット６の嵌め合いにおいてストッパーリング５に当たる締めナット６の先端の嵌め殺し用突起６−１に緩み止めのために放射状に細い放射状溝６−５が切られる、ストッパーリング５と締めナット６の嵌め合い構造の詳細図を示す。
【図１３】この発明の一実施形態に係るサークリップ４の詳細図を示す。
【図１４】この発明の一実施形態に係るラグスクリュウ３に埋め込まれる蟻継ぎ形状（他の形状でも可能である）のキー７の詳細図を示す。
【符号の説明】
【００１８】１  ネイル
１−１  ネイル逃げ
１−２  ガイド穴
１−３  治具取付穴
１−４  ネイル固定ねじ用穴
１−５  二条台形ねじ
１−６  二条台形ねじ（低山形）
１−７  噛み込み歯形
２  マスタースクリュウ
２−１  二条台形ねじ
２−２  セレーション
２−３  ねじ込みねじ
２−４  二条台形ねじ逃げ部
２−５  キー溝
３  ラグスクリュウ
３−１  先端二条ねじ
３−２  キー溝
３−３  サークリップ溝
３−４  ガイド穴
３−５  駆動用六角穴
３−６  回し工具溝
４  サークリップ
５  ストッパーリング
５−１  内歯
５−２  嵌め殺し用溝
５−３  斜角噛み込み歯形
６  締めナット
６−１  嵌め殺し用突起
６−２  スリ割り
６−３  ねじ込みねじ
６−４  駆動用六角穴
６−５  放射状溝
６−６  ねじ
７  キー
７−１  前進端当てＲ部
７−２  差込み蟻継ぎ
【図１−１】
2015039621.tif 000003
【図１−２】
2015039621.tif 000004
【図２】
2015039621.tif 000005
【図３】
2015039621.tif 000006
【図４】
2015039621.tif 000007
【図５】
2015039621.tif 000008
【図６】
2015039621.tif 000009
【図７】
2015039621.tif 000010
【図８】
2015039621.tif 000011
【図９】
2015039621.tif 000012
【図１０】
2015039621.tif 000013
【図１１】
2015039621.tif 000014
【図１２】
2015039621.tif 000015
【図１３】
2015039621.tif 000016
【図−１４】
2015039621.tif 000017
【手続補正書】
【提出日】平成25年10月9日(2013.10.9)
【手続補正１】
【補正対象書類名】明細書
【補正対象項目名】００１７
【補正方法】変更
【補正の内容】
【００１７】
【図１−１】この発明の一実施形態に係るネイル１とラグスクリュウ３のラグスクリュウ３が接合骨へ喰い付き、ロックされた状態の組付け構造を説明するためのシステム構成図である。
【図１−２】図１−１のラグスクリュウ３とマスタースクリュウ２の組の組合せ構造を説明する為の詳細図である。
【図２】この発明の一実施形態に係るネイル１とラグスクリュウ３の組付け手順を連続的に説明するための連続図の中で、最初にマスタースクリュウ２とラグスクリュウ３がキー結合される組付け開始前の「スタート前」を示す図である。
【図３】この発明の一実施形態に係るネイル１とラグスクリュウ３の組付け手順を連続的に説明するための連続図の中で、マスタースクリュウ２とラグスクリュウ３がキー結合され、予め決められる相対位置に突出し量調整とねじ込み駆動用の専用組付け治具で設定された後でラグスクリュウ３の後端部の六角穴などの駆動穴に回し工具を差し込んでねじ込む「スタート時」を示す図である。
【図４】この発明の一実施形態に係るネイル１とラグスクリュウ３の組付け手順を連続的に説明するための連続図の中で、ラグスクリュウ３を確実に保持し、かつ軸方向の滑り移動を滑らかに行うためにラグスクリュウ３の外周部とマスタースクリュウ２の内周部を高精度に加工して嵌め合わせ、さらに回り止めを確実にするためにキーまたはスプラインまたはセレーションなどにより滑り結合されている「ラグスクリュウとマスタースクリュウの噛合い」を示す図である。
【図５】この発明の一実施形態に係るネイル１とラグスクリュウ３の組付け手順を連続的に説明するための連続図の中で、ラグスクリュウ３とマスタースクリュウ２の組が予め設定される最先端部に到達した「前進最先端」を示す図である。
【図６】この発明の一実施形態に係るネイル１とラグスクリュウ３の組付け手順を連続的に説明するための連続図の中で、マスタースクリュウ２にセレーション結合され、さらにそれに嵌め殺し結合される締めナット６を回し工具により回転させてストッパーリング５の先端部の斜角噛込み歯形５−３がネイル１の内周部の噛み込み歯形１−７に噛合って回転がロックされる状態の「前進最先端ロック」を示す図である。
【図７】この発明の一実施形態に係る、軸芯に対して予め決められる角度でラグスクリュウ３と同様なリードの多条めねじ１−５とその後方内周端面に回り止めのためのめすの噛み込み歯形１−７を有する円筒形厚肉棒状のネイル１の詳細図を示す。
【図８】この発明の一実施形態に係る、前端部にラグスクリュウ３と同様なリードの多条おねじ２−１、後端部にラグスクリュウ３と結合のためのキーが嵌め込まれるキー溝２−５、ストッパーリング５と噛合いのためのおすセレーション２−２、および締めナット６とねじ係合するためのおねじ２−３を有するマスタースクリュウ２の詳細図を示す。
【図９】この発明の一実施形態に係る、先端部に接合骨への喰い付きのための特殊形状の二条おねじ３−１、後方端に回し工具が差し込まれる駆動用六角穴３−５、ラグスクリュウ３とマスタースクリュウ２の間隔を調整しセットする治具を固定する回し工具溝３−６、およびマスタースクリュウ２との滑り結合のためのキーが埋め込まれるキー溝３−２を有するラグスクリュウ３の詳細図を示す。
【図１０】この発明の一実施形態に係る、マスタースクリュウ２とセレーション滑り結合するためのめす内歯５−１とその先端外周部にネイル１とセレーション噛合いのためのおすの斜角噛み込み歯形５−３、および締めナット６と嵌め殺しされる嵌め殺し用溝５−２を有するストッパーリング５の詳細図を示す。
【図１１】この発明の一実施形態に係る、ストッパーリング５と嵌め殺し結合するためのスリ割り６−２、マスタースクリュウ２とねじ係合するためのねじ込みめねじ６−３、緩み止めのための先端部に放射状に切られる細い多数の放射状溝６−５が備えられる嵌め殺し用突起６−１、および駆動用の六角穴６−４を有する締めナット６の詳細図を示す。
【図１２】この発明の一実施形態に係る、特にストッパーリング５と締めナット６の嵌め合いにおいてストッパーリング５に当たる締めナット６の先端の嵌め殺し用突起６−１に緩み止めのために放射状に細い放射状溝６−５が切られる、ストッパーリング５と締めナット６の嵌め合い構造の詳細図を示す。
【図１３】この発明の一実施形態に係るサークリップ４の詳細図を示す。
【図１４】この発明の一実施形態に係るラグスクリュウ３に埋め込まれる蟻継ぎ形状（他の形状でも可能である）のキー７の詳細図を示す。